(57)【要約】【課題】容器内に収納された吊下具が運搬中の振動などによって動かないようにするための吊下具用の梱包容器をより安価に提供する。【解決手段】上面が開放された箱状の容器本体２の辺Ｓ１に容器本体２の開口部２１を覆い隠すフラップ３を設け、さらにフラップ３に対して直交する辺Ｓ２，Ｓ３から吊下具１０の移動を規制するスペーサ４，４をさらに設けて、吊下具１０の移動を規制する。【選択図】図１
2008143562.tif 000002
【特許請求の範囲】
【請求項１】
マグネットや両面粘着テープなどの所定の接着手段を介して壁面などの被取付面に保持されるベースを有し、上記ベースの一部に被吊下物を吊り下げるためのフックが突設されている吊下具を専用に梱包する吊下具用の梱包容器において、
上面が開放されていて、内部に上記吊下具を収納する収納空間を備えている箱状の容器本体と、上記容器本体の開口部の一辺から延設され、上記容器本体の開口部を覆い隠すフラップと、上記容器本体の開口部の上記フラップに対して直交する辺から延設され、上記ベースと上記フックとの間の空間に差し込まれ、上記吊下具の移動を規制するスペーサとを有することを特徴とする吊下具用の梱包容器。
【請求項２】
上記スペーサは、一端が上記開口部に連結され、上記開口部の開口面に沿ってほぼ平行となるように折り曲げられる第１折曲片と、一端が上記第１折曲片の他端に連結され、上記開口部から上記容器本体内に向かってほぼ垂直になるように折り曲げられる第２折曲片と、一端が上記第２折曲片の他端に連結され、上記フックに沿ってほぼ平行に折り曲げられる第３折曲片とを有し、上記第３折曲片の一部が上記フックの表面を押さえて動きを拘束することを特徴とする請求項１に記載の吊下具用の梱包容器。
【請求項３】
上記スペーサは、上記フラップに対して直交するいずれか一方または両方の辺に設けられていることを特徴とする請求項１または２に記載の吊下具用の梱包容器。
【請求項４】
上記第１折曲片には、上記吊下具の使用方法や注意書きなどの情報が記載される情報記載面が設けられていることを特徴とする請求項１，２または３に記載の吊下具用の梱包容器。
【発明の詳細な説明】
【技術分野】
【０００１】
本発明は、壁面などに取り付けて使用される吊下具を専用に梱包するための吊下具用の梱包容器に関し、さらに詳しく言えば、運搬中などに吊下具が容器内で動かないようにするための吊下具用の梱包容器に関する。
【背景技術】
【０００２】
壁や机などの一部を利用して、帽子や手提げ袋などの小物を吊り下げる手段の１つとして、簡易式の吊下具を用いる方法がある。例えば特許文献１に示すように、この種の吊下具は、マグネットや両面粘着テープなどの固定手段を介して壁面に取り付けられるベースを有し、ベースの一部に設けられたフックに被吊下物を吊り下げるようになっている。
【０００３】
ところで、これら吊下具は、工場で組み立てられたのち、箱や袋などの梱包容器に梱包された状態で小売店に向けて出荷されるが、箱に入れて出荷した場合、次のような問題があった。
【０００４】
すなわち、箱に複数個の吊下具を並べて搬送すると、車両の振動などによって吊下具が箱の中で動いてしまい、ずれてしまうおそれがあった。また、固定手段としてマグネットを用いているタイプの吊下具の場合、振動によって動いた拍子に各吊下具のマグネット同士が吸着し合ってしまうおそれがあった。さらには、互いが擦れ合うことで擦り傷などを生じるおそれもある。
【０００５】
これを予防する方法として、箱の中に仕切り板を設けて区画し、各区画毎に吊下具を収納する方法が考えられるが、仕切り板を設けた分、箱の組立工数が増え、さらには生産コストも増える。マグネットを用いた場合には、箱の底面に薄い鉄板などの磁性材を設けて各吊下具を貼り付けて固定することもできるが、やはり生産コストが高くなる。
【０００６】
【特許文献１】特開２００５−２１８４８７号公報
【発明の開示】
【発明が解決しようとする課題】
【０００７】
そこで、本発明は上述した課題を解決するため、容器内に収納された吊下具が運搬中の振動などによって動かないようにするための吊下具用の梱包容器をより安価に提供することにある。
【課題を解決するための手段】
【０００８】
上述した目的を達成するため、本発明は以下に示すいくつかの特徴を備えている。請求項１に記載の発明は、マグネットや両面粘着テープなどの所定の接着手段を介して壁面などの被取付面に保持されるベースを有し、上記ベースの一部に被吊下物を吊り下げるためのフックが突設されている吊下具を専用に梱包する吊下具用の梱包容器において、上面が開放されていて、内部に上記吊下具を収納する収納空間を備えている箱状の容器本体と、上記容器本体の開口部の一辺から延設され、上記容器本体の開口部を覆い隠すフラップと、上記容器本体の開口部の上記フラップに対して直交する辺から延設され、上記ベースと上記フックとの間の空間に差し込まれ、上記吊下具の移動を規制するスペーサとを有することを特徴としている。
【０００９】
請求項２に記載の発明は、上記スペーサは、一端が上記開口部に連結され、上記開口部の開口面に沿ってほぼ平行となるように折り曲げられる第１折曲片と、一端が上記第１折曲片の他端に連結され、上記開口部から上記容器本体内に向かってほぼ垂直になるように折り曲げられる第２折曲片と、一端が上記第２折曲片の他端に連結され、上記フックに沿ってほぼ平行に折り曲げられる第３折曲片とを有し、上記第３折曲片の一部が上記フックの表面を押さえて動きを拘束することを特徴としている。
【００１０】
請求項３に記載の発明は、上記請求項１または２において、上記スペーサは、上記フラップに対して直交する辺のいずれか一方または両方に設けられていることを特徴としている。
【００１１】
請求項４に記載の発明は、上記請求項１，２または３において、上記第１折曲片には、上記吊下具の使用方法や注意書きなどの情報が記載される情報記載面が設けられていることを特徴としている。
【発明の効果】
【００１２】
請求項１に記載の発明によれば、ベースとフックとの間に設けられた空間に差し込まれるスペーサを有していることにより、吊下具が動くスペースをスペーサで埋めることにより、吊下具が動くのを確実に防止することができる。
【００１３】
請求項２に記載の発明によれば、スペーサが容器本体の開口部の一辺から一体的に形成されていることにより、別体の仕切板などを設ける必要がないため、部品工数を少なく、より安価に製造することができる。
【００１４】
請求項３に記載の発明によれば、スペーサがフラップに対して直交するいずれか一方または両方の辺に設けられていることにより、吊下具の収納数に応じてスペーサの数を増やすことで、簡単にスペーサを増やすことができる。
【００１５】
請求項４に記載の発明によれば、第１折曲片の一部に情報記載面が設けられていることにより、仕様方法などを記載したマニュアルを同梱することなく、簡単に使用手順を把握できるばかりでなく、マニュアルの紛失や入れ忘れを確実に防ぐことができる。
【発明を実施するための最良の形態】
【００１６】
次に、本発明の実施形態について図面を参照しながら説明する。図１は、本発明の一実施形態に係る吊下具用の梱包容器の斜視図であり、図２はその中央横断面図である。
【００１７】
図１に示すように、この梱包容器１は、内部に吊下具１０が収納される箱状の容器本体２を備えている。容器本体２は上面のみが開放され、吊下具１０全体を収納可能な大きさを有し、この例では６個の吊下具１０を同時に収納することができる大きさを備えている。
【００１８】
梱包容器１の具体的な説明をする前に、吊下具１０の構成について簡単に説明する。吊下具１０は、マグネットや両面粘着テープなどの接着手段を介して壁面などの被取付面（ともに図示しない）に保持されるベース１１を有し、ベース１１の一部には、被吊下物を吊り下げるためのフック１２が突設されている。
【００１９】
この例において、ベース１１は、楕円状に形成されているが、ベース１１の形状は仕様に応じて任意であり、ベース１１からフック１２が突設されている構成であれば、本発明の吊下具１０は任意に構成されてよい。
【００２０】
梱包容器１は、１枚の紙製シートを折り畳んで形成されており、この例ではボール紙が用いられている。なお、梱包容器１の材質は仕様に応じて任意に変更可能であり、合成樹脂製としてもよい。
【００２１】
容器本体２には、開口部２１を覆い隠すための蓋としてのフラップ３が一体的に形成されている。フラップ３は、容器本体２の開口部２１の４つの辺のうち、辺Ｓ１から延設されており、辺Ｓ１を介して屈曲自在に設けられている。
【００２２】
フラップ３の自由端（辺Ｓ１と対向する辺）には、フラップ３を開口部２１に沿って被せた状態で固定するための固定片３１が一体的に設けられており、この固定片３１を開口部２１に沿って容器本体２の内側に差し込むことにより、フラップ３が閉じた状態で固定される。
【００２３】
容器本体２にはさらに、吊下具１０の一部を押さえて固定するためのスペーサ４が設けられている。この例において、スペーサ４，４は、開口部２１のフラップ３が設けられている辺Ｓ１に直交する２つの辺Ｓ２，Ｓ３にそれぞれ設けられている。
【００２４】
ここで、各スペーサ４，４はともに同一構成であるため、以下においては、辺Ｓ２に設けられたスペーサ４にのみについて説明する。スペーサ４は、互いに折り畳み可能な３つの折曲片４１〜４３から構成されている。
【００２５】
第１折曲片４１は、一端が開口部２１の辺Ｓ２に連結されており、開口部２１の開口面に沿ってほぼ平行となるように折り曲げられている。この例において、第１折曲片４１は、開口部２１のほぼ半分の大きさを覆う大きさに形成されている。
【００２６】
図１に示すように、第１折曲片４１の表面（開口部２１と同一となる面）には、吊下具１０の使用方法や注意書きなどの情報が記載される情報記載面４４が設けられている。これによれば、仕様方法などを記載したマニュアルを同梱することなく、簡単に使用手順を把握できるばかりでなく、マニュアルの紛失や入れ忘れを確実に防ぐことができる。
【００２７】
第２折曲片４２は、一端が第１折曲片４１の他端に一体に連結され、上記開口部から上記容器本体内に向かってほぼ垂直になるように折り曲げられている。この例において、第２折曲片４２は、開口部２１から吊下具１０のベース１１の表面に至るまでの長さをほぼ同じ長さを備えている。
【００２８】
第３折曲片４３は、一端が第２折曲片４２の他端に一体に連結され、吊下具１０のベース１１に沿ってほぼ平行に折り曲げられる。この例において、第３折曲片４３は、開口部２１の半分のよりも短く形成されており、ベース１１とフック１２との間に形成される空間Ｓに差し込み可能な長さとなっている。
【００２９】
次に、図１および図２を参照して、この吊下具用の梱包容器１の使用手順（梱包手順）の一例について説明する。まず、１枚のシート体として展開状態にある梱包容器１を所定の方法で箱状に組み立てたのち、作業者は容器本体２の中に吊下具１０を並べる。この例においては、図３（ａ）に示すように、３個一列として２列（合計６個）配置する。
【００３０】
次に、あらかじめ断面コ字状に折り曲げておいたスペーサ４，４を辺Ｓ２に沿って内側（容器本体２側）に向かって折り曲げてゆき、図２に示すように、第３折曲片４３の先端が吊下具１０のベース１１とフック１２との間のスペースＳに入り込むようにする。
【００３１】
これにより、第３折曲片４３の一部がフック１０のベース１１の上面を押さえつつ、かつ、先端がベース１１とフック１２との間のスペースＳに入り込むことにより、吊下具１０が容器本体２内で移動することを防ぐことができる。
【００３２】
また、スペーサ４，４を容器本体２内に折り込むことにより、第１折曲片４１に設けられた情報記載面４４が開口部４４に表れることにより、使用者は開封後すぐに使用手順を参照することができる。
【００３３】
最後に、フラップ３を辺Ｓ１に沿って開口部２１側に折り畳んで行き、先端の固定片３１を対向する辺Ｓ４の内側に差し込むことにより、フラップ３によって開口部２１が完全に閉塞される。以上の一連の動作により、梱包作業が完了する。
【００３４】
この例において、梱包容器１は、図３（ａ）に示すように２列で計６個の吊下具１０を収納する場合について例示したが、図３（ｂ）に示すように、例えば１列で３個収納するような場合においても適用可能である。
【００３５】
このような場合は、図４に示すように、フラップ３が形成されている辺Ｓ１に対して直交する辺Ｓ２，Ｓ３のいずれか一方（この例では辺Ｓ２）にのみスペーサ４を設ければよく、このような態様も本発明に含まれる。さらには、１つの梱包容器１に対して１個の吊下具１０を収容する場合であっても、本発明を適用することができる。
【図面の簡単な説明】
【００３６】
【図１】本発明の一実施形態に係る吊下具用の梱包容器の斜視図。
【図２】上記梱包容器の中央横断面図。
【図３】（ａ）吊下具を２列６個で配置した状態の模式図，（ｂ）吊下具を１列３個で配置した状態の模式図。
【図４】１列３個で配置した状態の梱包容器の斜視図。
【符号の説明】
【００３７】
１  梱包容器
２  容器本体
３  フラップ
４  スペーサ
４１〜４３  第１折曲片〜第３折曲片
４４  情報記載面
１０  吊下具
１１  ベース
１２  フック
Ｓ  スペース
【図１】
2008143562.tif 000003
【図２】
2008143562.tif 000004
【図３】
2008143562.tif 000005
【図４】
2008143562.tif 000006